(57)【要約】【課題】液晶ディスプレイ等の平面型ディスプレイを具えた画像表示装置であって屋外に設置可能な画像表示装置を提供する。【解決手段】本発明に係る画像表示装置は、防水構造を有する筐体１２の内部に、収容室１２１が形成されると共に、該収容室１２１の外側に、筐体１２の外部に通じる通気路１２２が形成されている。収容室１２１の内部には、筐体１２の表面側から視認可能な画面を有する画像表示パネル１１が配備され、該画像表示パネル１１の背面１１１側には１又は複数のヒートパイプ１３が配備されている。そして、ヒートパイプ１３は、収容室１２１を形成する側面壁１２１ａ，１２１ｂを貫通して該収容室１２１の内部から通気路１２２の内部に延びている。【選択図】図９
2010085782.tif 000002
【特許請求の範囲】
【請求項１】
防水構造を有する筐体（１２）の内部に、収容室（１２１）が形成されると共に、該収容室の外側に、該筐体の外部に通じる通気部（１２２）が形成されており、前記収容室（１２１）の内部には、前記筐体（１２）の表面側から視認可能な画面を有する画像表示パネル（１１）が配備され、該画像表示パネルの背面（１１１）側には１又は複数のヒートパイプ（１３）が配備され、該ヒートパイプは、前記収容室（１２１）を形成する側面壁（１２１ａ，１２１ｂ）を貫通して該収容室の内部から前記通気部（１２２）の内部に延びている画像表示装置。
【請求項２】
前記ヒートパイプ（１３）には、前記通気部（１２２）の内部において放熱部材（１４）が接続されている請求項１に記載の画像表示装置。
【請求項３】
前記放熱部材（１４）は、前記ヒートパイプ（１３）を両側から挟む第１放熱部（１４１）と第２放熱部（１４２）によって構成されており、前記第１放熱部（１４１）と第２放熱部（１４２）には一対の溝（１４１ｃ，１４２ｃ）が形成され、該一対の溝には、該第１放熱部と第２放熱部によって前記ヒートパイプ（１３）を両側から挟んだときに該ヒートパイプが嵌合する請求項２に記載の画像表示装置。
【請求項４】
前記画像表示パネル（１１）の背面（１１１）側には、前記放熱部材（１４）が接続された複数のヒートパイプ（１３）が鉛直方向に並んで配備され、該複数のヒートパイプのそれぞれに対応する複数の第１放熱部（１４１）は、ヒートパイプに対して前記筐体（１２）の表面側に配置されると共に一体に形成され、該複数のヒートパイプのそれぞれに対応する複数の第２放熱部（１４２）は、ヒートパイプに対して前記筐体（１２）の背面側に配置されると共に一体に形成されている請求項３に記載の画像表示装置。
【請求項５】
前記放熱部材（１４）には、前記通気部（１２２）の内部において前記ヒートパイプが嵌合すべき溝が形成されている請求項２に記載の画像表示装置。
【請求項６】
前記通気部（１２２）の内部には、該通気部に沿って空気を流す送風手段（１５，１６）が配備されている請求項１乃至請求項５の何れかに記載の画像表示装置。
【請求項７】
前記通気部（１２２）は鉛直方向に延び、前記送風手段（１５，１６）は該通気部内の空気を下から上に流す請求項６に記載の画像表示装置。
【請求項８】
前記ヒートパイプ（１３）は、前記画像表示パネル（１１）の背面に固定されている請求項１乃至請求項７の何れかに記載の画像表示装置。
【発明の詳細な説明】
【技術分野】
【０００１】
本発明は、画像表示装置に関し、特に屋外設置用の画像表示装置に関する。
【背景技術】
【０００２】
従来から、画像表示用のモニターとして、特許文献１に開示されている液晶ディスプレイなどの平面型ディスプレイが多く使用されている。従来の液晶ディスプレイのほとんどは、屋内に設置することを前提とした設計になっており、風雨やダストなどから液晶ディスプレイを保護する対策は施されていない。このため、従来の液晶ディスプレイを屋外に常設することは困難であった。
【０００３】
しかし近年、液晶ディスプレイを屋外に常設することが望まれている。その理由として、液晶ディスプレイは厚みが小さいこと、及び画像の解像度が高いことなどが挙げられる。厚みが小さいと、建物の外壁へのディスプレイの設置や、バス停留所などの狭い場所へのディスプレイの設置が可能となる。又、解像度が高いと、表示画面が小さくても画像を鮮明に映し出すことが可能となる。
【０００４】
そこで、液晶ディスプレイを風雨やダストから保護すべく、防水構造を有する収容室の内部に、液晶ディスプレイ、特に液晶ディスプレイのうち風雨やダストによって破損しやすい画像表示パネルを配備することが考えられている。
【特許文献１】特開２００５−２８６９８７号公報
【発明の開示】
【発明が解決しようとする課題】
【０００５】
しかし、画像表示パネルを収容室の内部に配備して防水すると、収容室の内部から外部への熱の逃げ道がなくなるため、画像表示パネルを自然空冷することが出来ない。このため、動作時に画像表示パネルから発生する熱や太陽光などによって、画像表示パネルの温度が高くなり、液晶の本来の機能が低下して画像表示が不能になるといった現象（ブラックアウト）が生じてしまう。
【０００６】
そこで本発明の目的は、液晶ディスプレイ等の平面型ディスプレイを具えた画像表示装置であって屋外に設置可能な画像表示装置を提供することである。
【課題を解決するための手段】
【０００７】
本発明に係る画像表示装置は、防水構造を有する筐体（１２）の内部に、収容室（１２１）が形成されると共に、該収容室の外側に、該筐体の外部に通じる通気部（１２２）が形成されており、前記収容室（１２１）の内部には、前記筐体（１２）の表面側から視認可能な画面を有する画像表示パネル（１１）が配備され、該画像表示パネルの背面（１１１）側には１又は複数のヒートパイプ（１３）が配備され、該ヒートパイプは、前記収容室（１２１）を形成する側面壁（１２１ａ，１２１ｂ）を貫通して該収容室の内部から前記通気部（１２２）の内部に延びている。
【０００８】
具体的な構成において、前記ヒートパイプ（１３）は、前記画像表示パネル（１１）の背面に固定されている。
【０００９】
上記画像表示装置によれば、防水構造を有する筐体の収容室の内部に画像表示パネルを配備することにより、画像表示装置を屋外に設置したときに風雨やダストから該画像表示パネルを保護することが出来る。
しかも、ヒートパイプは、画像表示パネルから発生した熱を収容室の内部で回収して該収容室の外側に導き、そして、その熱を通気部の内部に放出する。通気部の内部に放出された熱は、通気部を通って筐体の外部に発散される。よって、画像表示パネルの温度上昇が抑制され、その結果、画像表示パネルの機能は良好な状態に維持されることとなる。
【００１０】
上記画像表示装置の具体的構成において、前記ヒートパイプ（１３）には、前記通気部（１２２）の内部において放熱部材（１４）が接続されている。
該具体的構成によれば、ヒートパイプから通気部の内部への放熱効率が高まる。
【００１１】
上記画像表示装置の更に具体的な構成において、前記放熱部材（１４）は、前記ヒートパイプ（１３）を両側から挟む第１放熱部（１４１）と第２放熱部（１４２）によって構成されており、前記第１放熱部（１４１）と第２放熱部（１４２）には一対の溝（１４１ｃ，１４２ｃ）が形成され、該一対の溝には、該第１放熱部と第２放熱部によって前記ヒートパイプ（１３）を両側から挟んだときに該ヒートパイプが嵌合する。
該具体的構成によれば、第１放熱部と第２放熱部によってヒートパイプを両側から挟んで該ヒートパイプを一対の溝に嵌合させるだけで、放熱部材を形成しながら該放熱部材をヒートパイプに接続することが出来る。よって、ヒートパイプへの放熱部材の接続が容易である。
【００１２】
上記画像表示装置の更に又、具体的な構成において、前記画像表示パネル（１１）の背面（１１１）側には、前記放熱部材（１４）が接続された複数のヒートパイプ（１３）が鉛直方向に並んで配備され、該複数のヒートパイプのそれぞれに対応する複数の第１放熱部（１４１）は、ヒートパイプに対して前記筐体（１２）の表面側に配置されると共に一体に形成され、該複数のヒートパイプのそれぞれに対応する複数の第２放熱部（１４２）は、ヒートパイプに対して前記筐体（１２）の背面側に配置されると共に一体に形成されている。
該具体的構成によれば、複数のヒートパイプのそれぞれに対応する複数の第１放熱部が一体に形成されると共に、該複数のヒートパイプのそれぞれに対応する複数の第２放熱部も一体に形成されているので、複数のヒートパイプを第１放熱部と第２放熱部で挟むという一回の作業で、該複数のヒートパイプの全てに放熱部材を取り付けることが出来る。その結果、複数のヒートパイプへの放熱部材の取付けが簡略化されることとなる。
【００１３】
上記画像表示装置の他の具体的構成において、前記放熱部材（１４）には、前記通気部（１２２）の内部において前記ヒートパイプが嵌合すべき溝が形成されている。
該具体的構成によれば、ヒートパイプへの放熱部材の取付けを簡略化することが出来る。
【００１４】
上記画像表示装置の他の具体的構成において、前記通気部（１２２）の内部には、該通気部に沿って空気を流す送風手段（１５，１６）が配備されている。
該具体的構成によれば、ヒートパイプから通気部の内部に放出された熱を、筐体の外部に効率良く発散することが出来る。
【００１５】
上記画像表示装置の更に具体的な構成において、前記通気部（１２２）は鉛直方向に延び、前記送風手段（１５，１６）は該通気部内の空気を下から上に流す。
該具体的構成によれば、送風手段によって通気部内の空気を下から上に流すことによって、通気部内に放出された熱によって温まった空気は上昇するという空気の性質と相俟って、通気部内の空気は効率良く下から上に流れることとなる。よって、通気部内に放出された熱を効率良く筐体の外部に発散することが出来る。
【発明の効果】
【００１６】
本発明に係る画像表示装置によれば、屋外に設置することが可能であり、且つ表示パネルの機能を良好な状態に維持することが可能である。
【発明を実施するための最良の形態】
【００１７】
以下、本発明の実施の形態に係る画像表示装置を搭載した画像表示システムにつき、図面に沿って具体的に説明する。
１．画像表示システムの概要
画像表示システムは、図１に示されるような扁平な直方体状の外観を呈しており、図２に示されるように、画像表示装置１、土台２、背板３、カバー４、照明器具５、及び通気用プレート６を具えている。
画像表示装置１は、画像表示システムの表面１０１に映像を映し出す装置であり、図５に示される様に、液晶ディスプレイ１０を具えている。尚、画像表示装置１の詳細については、「２．画像表示装置について」で説明する。
【００１８】
土台２には、画像表示装置１及び背板３を取り付けるためのフレーム部２１が形成されており、フレーム部２１は、画像表示装置１及び背板３を嵌め込むことが可能な構成を有する。
【００１９】
背板３は、広告物を貼付するための設置台であり、画像表示装置１の背面側においてフレーム部２１に設置されている。広告物は、背板３の表面３１、即ち画像表示システムの背面１０２側の面に貼付される。
ここで、背板３は、照明器具５から発せられた光を透過すべく、光透過性を有する材質から形成されている。又、背板３に貼付される広告物も、照明器具５から発せられた光を透過すべく、光透過性を有する材質から形成されている。尚、光透過性を有する材質から形成された広告部を、以下では広告フィルムという。
【００２０】
カバー４は、土台２に取り付けられ、広告物が貼付された背板３の表面３１を覆っている。これにより、広告物がカバー４によって保護されている。
又、カバー４のうち背板３の表面３１と対向する部分は、光透過性を有する材質によって形成されている。これにより、画像表示システムの背面１０２側から広告物を視認することが可能になっている。
【００２１】
照明器具５は、背板３の表面３１に貼付された広告フィルムを照明するための器具であり、略鉛直方向に延びた複数の蛍光灯によって構成されている。そして、照明器具５は、画像表示装置１と背板３との間に位置にて、土台２のフレーム部２１に取り付けられている。
照明器具５によって広告フィルムを照らすことにより、夜間でも広告フィルムに印刷された文字等を視認することが可能である。
【００２２】
通気用プレート６は、画像表示装置１の下方位置にて、画像表示システムの前面１０１と背面１０２のそれぞれに配備されている。通気用プレート６には、画像表示システムの内部と外部とを連通する複数の通気口６１が形成されている。
【００２３】
上記画像表示システムは、例えば図３に示される様にバス停留所に設置される。このとき、画像表示システムは、表面１０１がバス停留所の内側に向き、背面１０２がバス停留所の外側に向くように設置される。
これにより、バス停留所内に待機している利用者に対して、種々の情報を静止画や動画によって提供することが出来、バス停留所の外側を通る者に対しても種々の情報を提供することが出来る。又、画像表示システムを有線又は無線で遠隔操作することにより、画像表示装置１によって表面１０１に映し出す情報を容易に更新するが可能になる。更に、複数のバス停留所のそれぞれに設置された画像表示システムを、一括して管理することが可能になる。
【００２４】
画像表示システムの上記設置状態によれば、画像表示システムの表面１０１がバス停留所の内側に向けられているので、バス停留所近辺を通る自動車等の運転者には、表面１０１が見えにくい。よって、表面１０１に動画を映し出した場合でも、運転者の注意は動画に向きにくくなる。
【００２５】
２．画像表示装置について
画像表示装置１は、図４及び図５に示されるように、液晶ディスプレイ１０、筺体１２、複数のヒートパイプ１３、循環用ファン１８、放熱フィン１４、通気用ファン１５，１６、及び集熱フィン１７を具える。更に図１１に示される様に、画像表示装置１には、空気調和機１９、循環用ファン１８１、及び断熱部材７も具えられている。
【００２６】
＜液晶ディスプレイ１０＞
液晶ディスプレイ１０は平面型ディスプレイであり、図５に示される様に、画像表示パネル１１と、画像表示パネル１１を制御するための回路基板１１ｅとを具える。画像表示パネル１１は、後述する収容室１２１の内部に配備されると共に、回路基板１１ｅは、該収容室１２１を形成する背面壁１２５の外面に配置されている。
【００２７】
画像表示パネル１１には、用途に応じて種々の形状のものを用いることが出来る。本実施の形態では、バス停留所などの狭い場所に画像表示システムを設置することが可能となるように、画像表示パネル１１として、縦長の長方形状のものが用いられている。尚、画像表示パネル１１は、特に表示画面１１２近傍の部分が発熱しやすく高温になりやすい。
【００２８】
＜筺体１２＞
（収容室について）
筺体１２は防水構造を有し、図４に示される様に筐体１２の内部には、収容室１２１が形成されている。収容室１２１の内部には、図１２に示されるように画像表示パネル１１が、表示画面１１２を画像表示システムの表面１０１の方に向けて配備されている。
【００２９】
具体的には、筐体１２は、画像表示パネル１１の表示画面１１２側に位置する表面壁１２４と、画像表示パネル１１の背面１１１側に位置する背面壁１２５と、画像表示パネル１１の両側面側に位置する側面壁１２１ａ，１２１ｂとを有する。又、土台２のフレーム部２１は、画像表示パネル１１の上端面１１３側に位置する上端部と、画像表示パネル１１の下端面１１４側に位置する下端部とを有する。
そして、収容室１２１は、表面壁１２４、背面壁１２５、及び側面壁１２１ａ，１２１ｂと、フレーム部２１の上端部及び下端部とから構成され、密閉又はほぼ密閉された状態で維持されている。
【００３０】
このように、画像表示パネル１１を、密閉又はほぼ密閉された状態に維持された収容室１２１の内部に配備することによって、画像表示装置１を屋外に設置した場合でも、風雨やダストから画像表示パネル１１を保護することが出来る。
【００３１】
尚、背面壁１２５は、画像表示パネル１１と背板３との間に位置に配置されている。
又、表面壁１２４は、表面壁１２４のうち画像表示パネル１１の表示画面１１２と対向する部分が、光透過性を有する材質、具体的にはガラス材によって形成されており、収容室１２１を形成すると共に、画像表示システムの表面１０１をも形成している。これにより、筐体１２の表面側、即ち画像表示システムの表面１０１側から、画像表示パネル１１の表示画面１１２を視認することを可能にしている。
【００３２】
（循環流路について）
収容室１２１の内部には、図１１及び図１２に示される様に、画像表示パネル１１を包囲する循環流路９２が形成されている。尚、図１１及び図１２では、循環流路９２を明確にすべく、ヒートパイプ１３及び集熱フィン１７の図示を省略しており、後述する図１３及び図１４においても同様である。
【００３３】
本実施の形態では循環流路９２は、４つの流路部１１ａ〜１１ｄによって構成されている。流路部１１ａは、収容室１２１を形成する表面壁１２４と画像表示パネル１１の表示画面１１２との間に形成され、表示画面１１２に沿って略鉛直方向に延びている。流路部１１ｂは、フレーム２を構成するフレーム部２１の上端部と画像表示パネル１１の上端面１１３との間に形成されている。流路部１１ｃは、収容室１２１を形成する背面壁１２５と画像表示パネル１１の背面１１１との間に形成され、背面１１１に沿って略鉛直方向に沿って延びている。流路部１１ｄは、フレーム部２１の下端部と画像表示パネル１１の下端面１１４との間に形成されている。
そして、流路部１１ａ〜１１ｄは、画像表示パネル１１の周囲でこの順に環状に繋がって、画像表示パネル１１を包囲している。即ち、流路部１１ａと流路部１１ｃは、それぞれの上端部と下端部で、流路部１１ｂ及び流路部１１ｄによって互いに連通している。
【００３４】
循環流路９２内の空気は、後述するように循環用ファン１８，１８１によって画像表示パネル１１の周囲を循環する。よって、画像表示パネル１１の表示画面１１２近傍の部分で発生した熱は、循環流路９２内の空気を媒体として、画像表示パネル１１の背面１１１側へ移動することとなる。
【００３５】
（通気路について）
筐体１２の内部には、収容室１２１の外側の位置に、筐体１２の外部に通じる通気路１２２，１２３が形成されている。具体的には図４に示されるように、通気路１２２は、収容室１２１を形成する一方の側面壁１２１ａに沿って略鉛直方向に延び、通気路１２３は、収容室１２１を形成する他方の側面壁１２１ｂに沿って延びている。
このように、収容室１２１の両側に通気路１２２，１２３を形成することにより、画像表示装置１が厚み方向に大型化することを回避することが出来る。
【００３６】
通気路１２２の上端部１２２ａは、図６に示されるようにクランク状に曲がっており、土台２のフレーム部２１の上面２１ａに設けられた通気口６２（図８参照）を介して、筐体１２の外部に通じている。通気路１２３の上端部１２３ａについても同様である。
通気路１２２の下端部１２２ｂは、図７に示されるように、画像表示装置１の下方に設置されている通気用プレート６の通気口６１を介して、筐体１２の外部に通じている。
【００３７】
＜ヒートパイプ１３＞
複数のヒートパイプ１３は、循環流路９２の流路部１１ｃ内に配備されている。具体的には複数のヒートパイプ１３は、図４に示されるように画像表示パネル１１の背面１１１に、略鉛直方向に所定間隔で繰り返し配列された状態で固定されている。そして、本実施の形態では、このように配列されたヒートパイプ１３が、背面１１１の中心線１１１ａの両側に１組ずつ配備されている。
【００３８】
中心線１１１ａに対して通気路１２２側に配列されたヒートパイプ１３は、図９に示される様に、収容室１２１を形成する一方の側面壁１２１ａを貫通して、収容室１２１の内部から通気路１２２の内部に延びている。具体的には、ヒートパイプ１３は、画像表示パネル１１の背面１１１から通気路１２２の方へと延び、一方の側面壁１２１ａを貫通して通気路１２２の内部に突出している。
【００３９】
尚、収容室１２１を形成する側面壁１２１ａには、ヒートパイプ１３が貫通する貫通孔が形成されており、該貫通孔は、ヒートパイプ１３が貫通した状態でシリコンゴムなどによりシールされる。これにより、収容室１２１の内部は密閉された状態のまま維持される。
【００４０】
中心線１１１ａに対して通気路１２３側に配列されたヒートパイプ１３は、通気路１２２に延びたヒートパイプ１３と同様に、収容室１２１を形成する他方の側面壁１２１ｂを貫通して、収容室１２１の内部から通気路１２３の内部に延びている（図５参照）。
【００４１】
上記ヒートパイプ１３によれば、画像表示パネル１１から発生した熱を収容室１２１の内部で回収することが出来る。即ち、ヒートパイプ１３によって、循環流路９２を流れる空気から熱を回収し、また画像表示パネル１１の熱を背面１１１から直接回収することが出来る。そして、回収された熱は、ヒートパイプ１３によって収容室１２１の外側に導かれ、通気路１２２，１２３の内部に放出される。つまり、ヒートパイプ１３は、画像表示装置１に具えられた熱交換手段として機能する。
【００４２】
ヒートパイプ１３から通気路１２２，１２３の内部に放出された熱は、通気路１２２，１２３を通って筺体１２の外部に発散される。よって、画像表示パネル１１の温度上昇が抑制され、その結果、液晶ディスプレイ１０の機能は良好な状態に維持されることとなる。
【００４３】
又、本実施の形態においては、ヒートパイプ１３は、画像表示パネル１１の背面１１１に所定間隔で繰り返し配列されているので、循環流路９２の流路部１１ｃ全体から熱を回収し、また液晶ディスプレイの背面１１１全体から熱を回収することが出来る。これにより、画像表示装置１の冷却効率が高くなる。
【００４４】
ヒートパイプ１３の内部には熱交換用の冷媒（水など）が充填されているので、ヒートパイプ１３の熱交換効率を高めるという観点からは、ヒートパイプ１３を、図４に示される様に斜めに配置することが好ましい。つまり、斜めに配置されたヒートパイプ１３は、収容室１２１の内部から通気路１２２，１２３の内部へ斜め上に向かって延びている。
【００４５】
これにより、ヒートパイプ１３のうち、通気路１２２，１２３の内部に位置する部分（低温部分）が、収容室１２１の内部に位置する部分（高温部分）よりも、略鉛直方向において高くなる。よって、ヒートパイプ１３内の冷媒は、高温部分で気化されて低温部分へ向かって上昇し、そして、低温部分で液化されて高温部分に向かって流れ落ち、再び高温部分で気化される。
このように、ヒートパイプ１３を斜めに配置することにより、冷媒がヒートパイプ１３内を効率良く循環し、ヒートパイプ１３の熱交換効率が高められることとなる。
【００４６】
更に、本実施の形態においては、画像表示パネル１１の背面１１１にヒートパイプ１３が配備されているので、ヒートパイプ１３の配備によって生じる表示画面１１２への制限、例えば表示画面１１２の縮小や、画像表示装置１の大型化などを回避することが出来る。
【００４７】
ヒートパイプ１３の配置についてさらに説明すると、上記ヒートパイプ１３は何れも、画像表示パネル１１の背面１１１からの熱の回収効率を高めるという観点から、画像表示パネル１１の背面１１１に沿って配置されている。
【００４８】
本実施の形態では、画像表示パネル１１の取付け位置と、画像表示装置１に搭載される電子部品や回路基板１１ｅの取付け位置との関係から、画像表示パネル１１の背面１１１には、図５及び図１０に示されるように段差が形成されている。このような段差がある場合でも、図５及び図１０に示される様に、ヒートパイプ１３が画像表示パネル１１の背面１１１に沿うように、段差の部分でヒートパイプ１３がクランク状に曲げられている。
これにより、ヒートパイプ１３の配備によって生じる無駄なスペースを縮小することが出来る。又、画像表示パネル１１の背面１１１との接触面積が増え、その結果、ヒートパイプ１３と画像表示パネル１１との熱交換効率が高まる。
【００４９】
更に、本実施の形態では、ヒートパイプ１３は何れも、図４に示されるように略鉛直方向に所定間隔で繰り返し配置されており、隣接するヒートパイプ１３との距離を所定間隔に保ったまま通気路１２２，１２３の内部まで延びている。このため、通気路１２２の内部においても、ヒートパイプ１３は、略鉛直方向へ所定間隔で繰り返し並んでいる。
よって、ヒートパイプ１３で回収した熱を、通気路１２２，１２３の内部において分散して放出することが出来、その結果、通気路１２２，１２３の内部でのヒートパイプ１３の熱交換（放熱）効率が高まることとなる。
【００５０】
＜空気調和機１９＞
空気調和機１９は、図２並びに図１０〜図１２に示されるように、熱交換器である蒸発器１９１と凝縮器１９２とから構成され、蒸発器１９１によって熱を回収し、回収した熱を凝縮器１９２によって放出することが出来る。
【００５１】
蒸発器１９１は、図１１及び図１２に示される様に、収容室１２１の内部において、画像表示パネル１１の背面１１１側であって、且つ画像表示パネル１１の下端面１１４近傍の位置に配備されている。即ち、蒸発器１９１は、循環流路９２の流路部１１ｃの下端部に配置されている。このように、蒸発器１９１を画像表示パネル１１の背面１１１側に配置することにより、画像表示装置１が高さ方向に大型化することを回避することが出来る。
又、蒸発器１９１を、画像表示パネル１１の下端面１１４側ではなく、背面１１１側に配置することにより、循環流路９２を短くすることが出来る。
【００５２】
凝縮器１９２は、図１１及び図１２に示される様に、筐体１２の内部であって、且つ収容室１２１の外側の位置に配備されている。具体的には、凝縮器１９２は、収容室１２１の下方位置、即ち画像表示パネル１１の下方位置に配置されている。そして、凝縮器１９２は、通気用プレート６に対向して配置されている。
【００５３】
上記空気調和機１９によれば、蒸発器１９１及び凝縮器１９２の何れにおいても熱交換効率が高いので、循環流路９２内を流れる空気から熱を蒸発器１９１によって効率良く回収し、そして凝縮器１９２によって、通気用プレート６に形成された複数の通気口６１から筐体１２の外部に、熱を効率良く放出することが出来る。よって、画像表示パネル１１で発生した熱が、空気調和機１９によって回収されることとなり、画像表示パネル１１の温度上昇が抑制され、その結果、画像表示パネル１１の機能は良好な状態に維持されることとなる。
つまり、空気調和機１９は、画像表示装置１に具えられた熱交換手段として機能する。
【００５４】
本実施の形態では、循環流路９２内の空気から熱を回収するための熱交換手段として空気調和機１９を用いたが、空気調和機１９に替えて他の熱交換手段を採用してもよい。
【００５５】
＜循環用ファン１８，１８１＞
循環用ファン１８，１８１は、循環流路９２内の空気を循環流路９２に沿って循環させるためのファンである。循環用ファン１８は、図１１及び図１２に示される様に、画像表示パネル１１の背面１１１側であって、且つ画像表示パネル１１の上端面１１３近傍の位置に配備されている。即ち、循環用ファン１８は、循環流路９２の流路部１１ｃの上端部に配備されている。
そして、循環用ファン１８は、図１３に示される様に、循環流路９２の流路部１１ｃ内の空気を下方に向けて流している。
【００５６】
循環用ファン１８１は、収容室１２１の内部において、画像表示パネル１１の背面１１１側であって、且つ蒸発器１９１の近傍に配備されている。本実施の形態では、図１１及び図１２に示される様に、循環流路９２の流路部１１ｃの下端部において、蒸発器１９１の上方位置に配備されている。
そして、循環用ファン１８１は、図１４に示される様に、蒸発器１９１に向けて風を送り込んでいる。
【００５７】
これにより、循環流路９２内の空気は、図１３及び図１４に示される様に、画像表示パネル１１の周囲を実線矢印の方向へ循環することとなる。
即ち、循環用ファン１８，１８１を駆動することによって、画像表示パネル１１の表示画面１１２に沿う流路部１１ａ内の空気は、図１３に示される様に、略鉛直方向において下から上へ流れ、そして画像表示パネル１１の上端面１１３に沿う流路部１１ｂを通って、背面１１１に沿う流路部１１ｃへ流れ込む。流路部１１ｃ内に流れ込んだ空気は、図１４に示される様に、流路部１１ｃに沿って上から下へ流れ、そして画像表示パネル１１の下端面１１４に沿う流路１１ｄを通って流路部１１ａに戻る。
【００５８】
上記循環用ファン１８，１８１によれば、画像表示パネル１１の表示画面１１２に沿う流路部１１ａ内の空気を、背面１１１に沿う流路部１１ｃに効率良く導くことが出来る。よって、画像表示パネル１１の表示画面１１２近傍の部分で発生した熱は、画像表示パネル１１の背面１１１側に配備されているヒートパイプ１３及び蒸発器１９１によって効率良く回収されることとなる。即ち、循環流路９２内の空気を用いて、画像表示パネル１１、特に画像表示パネル１１の表示画面１１２を空冷することが出来る。
よって、画像表示パネル１１の温度上昇が抑制され、その結果、画像表示パネルの機能は良好な状態に維持されることとなる。
尚、循環用ファン１８，１８１、ヒートパイプ１３、及び蒸発器１９１によって画像表示パネル１１を空冷されることに鑑みれば、循環用ファン１８，１８１、ヒートパイプ１３、及び蒸発器１９１によって冷却機構が構成されていると把握することが出来る。
【００５９】
本実施の形態においては、循環用ファン１８１によって蒸発器１９１に向けて風が送り込まれているので（図１４参照）、循環流路９２内の空気を、流路部１１ｃで停滞させることなく蒸発器１９１に送り込むことが出来る。よって、蒸発器１９１によって熱を効率良く回収することが可能となる。
【００６０】
又、本実施の形態においては、循環用ファン１８，１８１が流路部１１ｃの上端部と下端部のそれぞれに配備されているので、空気が循環流路９２に沿って流れやすくなると共に、流速が大きくなる。従って、画像表示パネル１１を均一に冷却することが可能となり、その結果、画像表示パネル１１のうち蒸発器１９１近傍の部分だけが冷えるということがなくなる。
【００６１】
但し、循環流路９２内を流れる空気の流速を大きくし過ぎると、蒸発器１９１での熱交換効率が低下する。よって、本実施の形態では、図４に示される様に流路部１１ｃの上端部に１０個の循環用ファン１８を配備する一方、流路部１１ｃの下端部には、図１５及び図１６に示される様に３個の循環用ファン１８１を配備することが好ましい。
【００６２】
更に、本実施の形態においては、画像表示パネル１１の表示画面１１２に沿う流路部１１ａ内の空気が、略鉛直方向において下から上に流れるので、熱によって温まった空気は上昇するという空気の性質と相俟って、流路部１１ａ内の空気は効率良く下から上へ流れることとなる。
よって、循環流路９２に沿って空気が循環しやすくなり、画像表示パネル１１の表示画面１１２近傍の部分で発生した熱を、効率良くヒートパイプ１３及び蒸発器１９１に導くことが出来る。その結果、ヒートパイプ１３及び蒸発器１９１での熱交換（集熱）効率が高まり、以って画像表示装置１の冷却効率がより高まる。
【００６３】
更に又、本実施の形態においては、循環用ファン１８が、循環流路９２の流路部１１ｃの上端部、即ち画像表示パネル１１の上端面１１３に沿う流路部１１ｂ近傍の位置に配備されているので、循環流路９２内の空気を効率良く循環させることが出来る。理由は以下のとおりである。
【００６４】
循環流路９２のうち、空気の流れる方向において循環流路９２が拡がる部分においては、流路抵抗が低くなる。具体的には循環流路９２は、図１３に示されるように流路部１１ｂでは狭く、流路部１１ｂから流路部１１ｃに入るところで拡がっている。このため、流路部１１ｂ内の空気は流路部１１ｃへ導かれやすい状態となっている。
よって、循環用ファン１８を流路部１１ｃの上端部に配置することにより、流路部１１ｂ内の空気を、効率良く流路部１１ｃへ導くことが出来る。その結果、循環流路９２内の空気が効率良く循環されることとなる。
【００６５】
尚、流路部１１ａから流路部１１ｂに入るところで循環流路９２が拡がっている場合には、上述したのと同じ理由から、流路部１１ａから空気が流れ出る位置またはその近傍に、循環用ファン１８を配置してもよい。
【００６６】
上述したように、循環用ファン１８，１８１は、画像表示パネル１１の背面１１１側に配置されているので、画像表示装置１が高さ方向に大型化することを回避することが出来る。
【００６７】
本実施の形態では、循環流路９２内の空気を循環させるための循環手段として、循環用ファン１８，１８１を用いたが、循環用ファン１８，１８１に替えて他の循環手段を採用してもよい。
【００６８】
＜放熱フィン１４＞
放熱フィン１４は、図９に示されるように通気路１２２の内部に配備されており、ヒートパイプ１３のうち通気路１２２の内部に突出した突出部１３１に接続されている。本実施の形態では、放熱フィン１４は、アルミニウムによって形成されている。
【００６９】
具体的には、放熱フィン１４は、ヒートパイプ１３の突出部１３１を両側から挟む第１放熱部１４１と第２放熱部１４２によって構成されている。第１放熱部１４１は、基部１４１ａと、基部１４１ａに対して垂直に連結されたフィン部１４１ｂとを有し、ヒートパイプ１３の突出部１３１に対して筐体１２の表面、即ち画像表示システムの表面１０１側に配置されている。
第２放熱部１４２は、基部１４２ａと、基部１４２ａに対して垂直に連結されたフィン部１４２ｂとを有し、ヒートパイプ１３の突出部１３１に対して筐体１２の背面、即ち画像表示システムの背面１０２側に配置されている。
【００７０】
そして、第１放熱部１４１と第２放熱部１４２のそれぞれには、図１７及び図１８に示される様に、基部１４１ａ，１４２ａに一対の溝１４１ｃ，１４２ｃが形成されており、該一対の溝１４１ｃ，１４２ｃには、第１放熱部１４１と第２放熱部１４２によってヒートパイプ１３の突出部１３１を両側から挟んだときに該突出部１３１が嵌合する。
より具体的には、一対の溝１４１ｃ，１４２ｃは半円筒状に形成されており、第１放熱部１４１と第２放熱部１４２によってヒートパイプ１３の突出部１３１を両側から挟んだときに、一対の溝１４１ｃ，１４２ｃによって円筒状の穴が形成され、ヒートパイプ１３の突出部１３１は該円筒状の穴に嵌合する。
【００７１】
本実施の形態では、画像表示パネル１１の背面１１１に、複数のヒートパイプ１３が略鉛直方向に並んで配備されると共に（図４参照）、通気路１２２の内部には、複数のヒートパイプ１３のそれぞれに対応する複数の放熱フィン１４が略鉛直方向に配備されている。
そして、図１７及び図１８に示される様に、複数のヒートパイプ１３のそれぞれに対応する複数の第１放熱部１４１が一体に形成されると共に、該複数のヒートパイプ１３のそれぞれに対応する複数の第２放熱部１４２も一体に形成されている。
【００７２】
通気路１２２の内部に配備された上記放熱フィン１４と同様に、通気路１２３の内部にも放熱フィン１４が配備されている（例えば図４参照）。
【００７３】
上記放熱フィン１４によれば、ヒートパイプ１３から通気路１２２，１２３の内部への放熱効率が高まり、その結果、画像表示装置１の冷却効率が高まることとなる。
【００７４】
本実施の形態においては、放熱フィン１４が第１放熱部１４１と第２放熱部１４２によって構成され、第１放熱部１４１と第２放熱部１４２には一対の溝１４１ｃ，１４２ｃが形成されているので、第１放熱部１４１と第２放熱部１４２によってヒートパイプ１３を両側から挟んで該ヒートパイプ１３を一対の溝１４１ｃ，１４２ｃに嵌合されるだけで、放熱フィン１４を形成しながら該放熱フィン１４をヒートパイプ１３に接続することが出来る。よって、ヒートパイプ１３への放熱フィン１４の接続が容易である。
【００７５】
又、本実施の形態においては、複数のヒートパイプ１３のそれぞれに対応する複数の第１放熱部１４１が一体に形成されると共に、該複数のヒートパイプ１３のそれぞれに対応する複数の第２放熱部１４２も一体に形成されているので、複数のヒートパイプ１３を第１放熱部１４１と第２放熱部１４２で挟むという一回の作業で、該複数のヒートパイプ１３の全てに放熱フィン１４を取り付けることが出来る。その結果、複数のヒートパイプ１３への放熱フィン１４の取付けが簡略化されることとなる。
【００７６】
本実施の形態では、図１７に示される様に第１放熱部１４１において、複数のフィン部１４１ｂが基部１４１ａに垂直に連結されており、複数のフィン部１４１ｂの間に隙間が形成されている。第２放熱部１４２においても同様である。そして、通気路１２２，１２３内を流れる空気は、上記隙間を通って流れる。
【００７７】
尚、図１７では第１放熱部１４１において、複数のフィン部１４１ｂの先端が、連結部によって互いに連結されており、上記隙間はフィン部１４１ｂ、基端部１４１ａ及び連結部によって囲まれている。第２放熱部１４２においても同様である。この場合、通気路１２２，１２３内の空気を該隙間だけに通すことによって、放熱フィン１４を、ダクトとしても機能するダクトフィンとすることが出来る。もちろん、隙間及び該隙間の外側の両方に、通気路１２２，１２３内の空気を流してもよい。
【００７８】
本実施の形態では、ヒートパイプ１３から通気路１２２，１２３の内部への放熱効率を高めるための放熱部材として、放熱フィン１４を用いたが、放熱フィン１４に替えて他の放熱部材を採用してもよい。
【００７９】
＜通気用ファン１５，１６＞
通気用ファン１５，１６は、図４に示される様に通気路１２２の内部に配備されており、
通気用ファン１５は、通気路１２２の上端部１２２ａに配置され、通気用ファン１６は、通気路１２２の下端部１２２ｂに配置されている。
【００８０】
通気用ファン１５，１６は、通気路１２２内の空気を通気路１２２に沿って同じ方向に流す。具体的には通気用ファン１５は、図６に示される様に、通気路１２２内の空気を通気口６２から筺体１２の外部へ排出することにより、通気路１２２内の空気を略鉛直方向において下から上に流す。通気用ファン１６は、図７に示される様に、筺体１２の外部の空気を通気口６１から通気路１２２の内部へ吸入することにより、通気路１２２内の空気を略鉛直方向において下から上に流す。尚、図６及び図７では、空気の流れが実線矢印によって示されている。
【００８１】
通気路１２３の内部にも、通気路１２２と同様に、通気用ファン１５，１６が配備されており（図４参照）、通気用ファン１５，１６によって、通気路１２３内の空気が略鉛直方向において下から上に流される。
【００８２】
上記通気用ファン１５，１６によれば、ヒートパイプ１３から通気路１２２，１２３の内部に放出された熱を、筐体１２の外部に効率良く発散することが出来る。よって、通気路１２２の内部においてヒートパイプ１３及び放熱フィン１４の放熱効率が高まる。
【００８３】
そして、本実施の形態においては、通気路１２２，１２３内の空気が下から上に流れるので、通気路１２２，１２３内に放出された熱によって温まった空気は上昇するという空気の性質と相俟って、通気路１２２，１２３内の空気は効率良く下から上に流れることとなる。よって、通気路１２２，１２３内に放出された熱を効率良く筐体１２の外部に発散することが出来る。
【００８４】
本実施の形態では、通気路１２２，１２３内の空気を筐体１２の外部に排出する送風手段として、通気用ファン１５，１６を用いたが、通気用ファン１５，１６に替えて他の送風手段を採用してもよい。
【００８５】
＜集熱フィン１７＞
集熱フィン１７は、図４に示されるように、収容室１２１の内部において複数のヒートパイプ１３に跨って接続されている。具体的には集熱フィン１７は、図９に示されるように、基部１７１とフィン部１７２とから構成されている。基部１７１は、複数のヒートパイプ１３に跨って延びると共に、該複数のヒートパイプ１３に接触している。フィン部１７２は、基部１７１の表面に垂直に連結され、基部１７１の長手方向に基部１７１の一端から他端まで延びている。
【００８６】
上記集熱フィン１７によれば、画像表示パネル１１から循環流路９２内に放たれた熱を、効率良く回収してヒートパイプ１３に導くことが出来る。これにより、熱交換手段としてのヒートパイプ１３の機能が高まり、その結果、画像表示装置１の冷却効率が高まることとなる。
【００８７】
尚、図４では、集熱フィン１７は、中心線１１１ａに対して通気路１２２側のヒートパイプ１３にのみ接続されているが、実際は通気路１２３側のヒートパイプ１３にも同様に接続されている。
【００８８】
本実施の形態では、循環流路９２内を流れる空気から集熱する集熱部材として、集熱フィン１７を用いたが、集熱フィン１７に替えて他の集熱部材を採用してもよい。
【００８９】
＜断熱部材７＞
断熱部材７は、図１４に示される様に、蒸発器１９１と画像表示パネル１１との間に介在している。具体的には、蒸発器１９１は、画像表示パネル１１の背面１１１側に配置されており、断熱部材７は、画像表示パネル１１の背面１１１と蒸発器１９１の前面１９１ａとの間に配置されている。断熱部材７の材質には、例えばウレタンやシリコン系のゴムなどが用いられる。
【００９０】
上述したように、画像表示パネル１１で発生した熱は、循環流路９２内を流れる空気を媒体として蒸発器１９１に導かれ、そして蒸発器１９１によって回収される。上記断熱部材７によれば、蒸発器１９１によって熱を回収する過程で、画像表示パネル１１のうち蒸発器１９１の近傍位置の部分が冷え過ぎることを防止することが出来る。よって、画像表示パネル１１の温度分布が均一となり、その結果、画像表示パネル１１の機能は良好な状態に維持されることとなる。
【００９１】
３．照明器具の配置について
収容室１２１を形成する背面壁１２５は、図１２に示される様に、鉛直壁部１２５ａと、傾斜壁部１２５ｂ，１２５ｃとを具えている。鉛直壁部１２５ａは、画像表示パネル１１の背面１１１に沿って拡がっている。傾斜壁部１２５ｂは、鉛直壁部１２５ａの上端から背板３側に屈曲して斜め上方向に延びる一方、傾斜壁部１２５ｃは、鉛直壁部１２５ａの下端から背板３側に屈曲して斜め下方向に延びている。
【００９２】
これにより、背面壁１２５と画像表示パネル１１の背面１１１との間に、傾斜壁部１２５ｂ，１２５ｃの表面のそれぞれに沿う第１収容空間１２ｂ，１２ｃが形成されることとなる。即ち、循環流路９２の流路部１１ｃの上端部と下端部のそれぞれに、第１収容空間１２ｂ，１２ｃが形成されている。
又、背面壁１２５と背板３との間には、鉛直壁部１２５ａの背面に沿う第２収容空間１２ａが形成されることとなる。
【００９３】
そして、一方の第１収容空間１２ｂには、図１２及び図１３に示される様に、循環用ファン１８が配置され、他方の第１収容空間１２ｃには、図１２及び図１４に示される様に、循環用ファン１８１と蒸発器１９１が配置されている。
又、第２収容空間１２ａには、図１２に示される様に、広告フィルムを照明するための照明器具５が配置されている。具体的には、照明器具５を構成する複数の蛍光灯が、第２収容空間１２ａの内部において、鉛直壁部１２５ａに沿って水平方向に並んでいる。
【００９４】
上述したように収容室１２１を形成する背面壁１２５に傾斜壁部１２５ｂ，１２５ｃを設けることによって、循環用ファン１８，１８１及び蒸発器１９１が配置される第１収容空間１２ｂ，１２ｃが収容室１２１の内部に形成されると共に、照明器具５が配置される第２収容空間１２ａが、循環用ファン１８のほぼ下方位置であって、且つ循環用ファン１８１及び蒸発器１９１のほぼ上方位置にて、収容室１２１の外側に形成される。即ち、第２収容空間１２ａは、鉛直方向又はほぼ鉛直方向において第１収容空間１２ｂ，１２ｃの間に介在することとなる。
よって、循環用ファン１８，１８１及び蒸発器１９１と、照明器具５とを鉛直方向又はほぼ鉛直方向に並べて配置することが可能となり、その結果、画像表示装置１が厚み方向に大型化することが回避される。
【００９５】
３．変形例
３−１．変形例１
上述した画像表示装置１では、複数のヒートパイプ１３は略鉛直方向へ所定間隔で繰り返し配列されているが（図４参照）が、これに限らず他の態様であってもよい。例えば、異なる間隔でヒートパイプ１３を配列してもよい。
但し、画像表示装置１の冷却効率を高めるという観点からは、上述した画像表示装置１のように画像表示パネル１１の背面１１１全体に亘ってヒートパイプ１３が配設されることが好ましい。これにより、画像表示パネル１１の背面１１１全体から熱を回収することが可能になる。
【００９６】
３−２．変形例２
上述した画像表示装置１では、通気路１２２，１２３内の空気を、通気用ファン１５，１６によって下から上に向かって流しているが、上から下に向かって流してもよい。例えば、画像表示装置１を搭載した画像表示システムの設置場所における環境等を考慮した場合、通気路１２２，１２３内の空気を上から下に流した方がよいことがある。
【００９７】
又、上述した画像表示装置１では、通気路１２２，１２３に、通気用ファンが２つずつ配備されているが、通気路１２２，１２３に配備する通気用ファンの数は、１つでもよいし、３つ以上であってもよい。
【００９８】
更に、上述した画像表示装置１では、通気用ファン１５を通気路１２２，１２３の上端部１２２ａ，１２３ａに配置し、通気用ファン１６を通気路１２２，１２３の下端部１２２ｂ，１２３ｂに配置しているが、これに限らず他の位置に配置してもよい。但し、通気路１２２，１２３内の空気を筐体１２の外部に排出することが可能な配置にする必要がある。
【００９９】
３−３．変形例３
上述した画像表示装置１では、循環流路９２は、表示画面１１２に沿う流路部１１ａ、上端面１１３に沿う流路部１１ｂ、背面１１１に沿う流路部１１ｃ、及び下端面１１４に沿う流路部１１ｄから構成されているが、収容室１２１の内部において画像表示パネル１１を包囲する他の経路を循環流路９２としてもよい。
例えば、画像表示パネル１１の側面と、収容室１２１を形成する側面壁１２１ａ，１２１ｂとの間に流路部を形成し、該流路部と流路部１１ａ，１１ｃとによって循環流路９２を形成してもよい。
【０１００】
又、上述した画像表示装置１では、循環用ファン１８によって、表示画面１１２に沿う流路部１１ａ内の空気を下から上に向かって流しているが、上から下に向かって流してもよい。この場合、循環用ファン１８は、画像表示パネル１１の下端面１１４近傍の位置に設置することが好ましい。尚、循環用ファン１８の位置は、画像表示パネル１１の上端面１１３または下端面１１４近傍の位置に限定されるものではなく、他の位置であってもよい。
【０１０１】
３−４．変形例４
上述した画像表示装置１では、循環用ファン１８１は、循環流路９２の流路部１１ｃの下端部において蒸発器１９１の上方位置に配置されているが、循環用ファン１８１を、蒸発器１９１の下方位置に配置してもよい。
【０１０２】
かかる態様によれば、循環用ファン１８１は蒸発器１９１から空気を吸い込むので、蒸発器１９１に対して上方から空気が送り込まれることとなる。よって、蒸発器１９１によって熱を効率良く回収することが可能となる。
【０１０３】
３−５．変形例５
上述した画像表示装置１では、通気路１２２の内部に配備されている放熱フィン１４を第１放熱部１４１と第２放熱部１４２によって構成し、ヒートパイプ１３の突出部１３１を一対の溝１４１ｃ，１４２ｃに嵌合させた状態で、第１放熱部１４１と第２放熱部１４２によって突出部１３１を両側から挟んでいたが、例えば、放熱フィン１４を第１放熱部１４１のみで構成し、第１放熱部１４１に形成されている溝１４１ｃにヒートパイプ１３の突出部１３１を嵌合させることによって、放熱フィン１４をヒートパイプ１３の突出部１３１に取り付けてもよい。
【０１０４】
かかる態様によれば、ヒートパイプ１３への放熱フィン１４の取付けを簡略化することが出来る。
【０１０５】
尚、本発明の各部構成は上記実施の形態に限らず、特許請求の範囲に記載の技術的範囲内で種々の変形が可能である。例えば、液晶ディスプレイに限らず、プラズマディスプレイや有機ＥＬ（Electro-Luminescence）ディスプレイなどの平面型ディスプレイを具えた画像表示装置についても、上述した技術を適用することが出来る。
【図面の簡単な説明】
【０１０６】
【図１】画像表示装置を搭載した画像表示システムを示す斜視図である。
【図２】該画像表示システムの分解斜視図である。
【図３】該画像表示システムの使用例を示した斜視図である。
【図４】図２に示されるIV‐IV線に沿う断面図である。
【図５】図４に示されるV‐V線に沿う断面図である。
【図６】図４に示されるVI‐VI線に沿う断面図である。
【図７】図４に示されるVII‐VII線に沿う断面図である。
【図８】該画像表示システムの平面図である。
【図９】図５に示されるIX領域の拡大図である。
【図１０】図４に示されるX‐X線に沿って一部を破断した斜視図である。
【図１１】図４に示されるXI‐XI線に沿って一部を破断した斜視図である。
【図１２】図４に示されるXI‐XI線に沿う断面図である。
【図１３】図１２に示されるXIII領域の拡大図である。
【図１４】図１２に示されるXIV領域の拡大図である。
【図１５】収容室を形成する背面壁を背面側下方から見た斜視図である。
【図１６】該背面壁を背面側上方から見た斜視図である。
【図１７】放熱フィンの分解斜視図である。
【図１８】放熱フィンを構成する第２放熱部を示す斜視図である。
【符号の説明】
【０１０７】
１  画像表示装置
１０  液晶ディスプレイ（平面型ディスプレイ）
１１  画像表示パネル
１１１  背面
１１２  表示画面（表面）
１１３  上端面
１１４  下端面
１１ｅ  回路基板
１２  筺体
１２１  収容室
１２１ａ，１２１ｂ  側面壁
１２２，１２３  通気路（通気部）
１２４  表面壁
１２５  背面壁
１２５ａ  鉛直壁部
１２５ｂ，１２５ｃ  傾斜壁部
１２ｂ，１２ｃ  第１収容空間
１２ａ  第２収容空間
１３  ヒートパイプ（熱交換手段）
１４  放熱フィン（放熱部材）
１４１  第１放熱部
１４２  第２放熱部
１４１ｃ，１４２ｃ  一対の溝
１５，１６  通気用ファン（送風手段）
１７  集熱フィン（集熱部材）
１８，１８１  循環用ファン（循環手段）
１９  空気調和機（熱交換手段）
１９１  蒸発器
１９１ａ  前面
１９２  凝縮器
９２  循環流路
１１ａ  流路部（第１流路部）
１１ｃ  流路部（第２流路部）
【図１】
2010085782.tif 000003
【図２】
2010085782.tif 000004
【図３】
2010085782.tif 000005
【図４】
2010085782.tif 000006
【図５】
2010085782.tif 000007
【図６】
2010085782.tif 000008
【図７】
2010085782.tif 000009
【図８】
2010085782.tif 000010
【図９】
2010085782.tif 000011
【図１０】
2010085782.tif 000012
【図１１】
2010085782.tif 000013
【図１２】
2010085782.tif 000014
【図１３】
2010085782.tif 000015
【図１４】
2010085782.tif 000016
【図１５】
2010085782.tif 000017
【図１６】
2010085782.tif 000018
【図１７】
2010085782.tif 000019
【図１８】
2010085782.tif 000020